(57)【要約】【課題】液晶パネルのような表示デバイスの構造に変更を加えることなく、視野角特性を改善できる表示装置の表示方法の提供。【解決手段】ピクセルに対応する入力画像信号レベルに応じて、ピクセルを構成する各サブピクセルに割当てられるべき各画像信号レベルを、各サブピクセルからの透過光量の組み合わせが、ピクセルの入力画像信号レベルに基づく光量となる高レベル又は低レベルの各画像信号レベルに変換し、入力画像信号が更新される都度（Ｓ１）、隣接するピクセルとの入力画像信号レベルの差が所定値未満である場合（Ｓ５）、各サブピクセルに割当てる各画像信号レベルの配置を各サブピクセル内で変更し（Ｓ７）、その差が所定値以上である場合（Ｓ５）、配置の変更を停止し（Ｓ６）、各サブピクセルは、変換した各画像信号レベル、又は配置を変更した各画像信号レベルに基づき同一色の光量を透過させる。【選択図】図８
2011191415.tif 000002
【特許請求の範囲】
【請求項１】
表示画面にマトリクス状に配された多数のサブピクセルを備え、複数のサブピクセルで構成されるピクセルそれぞれに対し、入力された画像信号に応じた駆動信号が与えられ、与えられた駆動信号に基づき、サブピクセルが各別の駆動信号で同一色の光量を透過させることにより、単色画像を表示する表示装置の表示方法において、
ピクセルに対応する入力画像信号レベルに応じて、ピクセルを構成する各サブピクセルに割当てられるべき各画像信号レベルを、各サブピクセルが駆動可能な画像信号レベルの高レベル又は低レベルであって、画像信号レベルに基づき各サブピクセルから透過する光量の組み合わせが、前記入力画像信号レベルに基づく光量となる各画像信号レベルに変換し、入力画像信号が更新される都度、隣接するピクセルとの入力画像信号レベルの差を算出し、算出した差が所定値未満である場合、ピクセルを構成する各サブピクセルに割当てられる各画像信号レベルの配置を各サブピクセル内で変更し、前記差が所定値以上である場合、前記配置の変更を停止し、各サブピクセルは、変換した各画像信号レベル、又は配置を変更した各画像信号レベルに基づく駆動信号で同一色の光量を透過させることを特徴とする表示装置の表示方法。
【請求項２】
ピクセルに対応する入力画像信号レベルに応じて、ピクセルを構成する各サブピクセルに割当てられるべき各画像信号レベルを記録したテーブルを、サブピクセル毎に用意しておき、ピクセルに対応する入力画像信号レベルに基づき前記テーブルから、各サブピクセルに割当てる各画像信号レベルを読み出すことにより、ピクセルに対応する入力画像信号レベルから各サブピクセルに割当てられるべき各画像信号レベルを変換する請求項１記載の表示装置の表示方法。
【請求項３】
表示画面にマトリクス状に配された多数のサブピクセルを備え、複数のサブピクセルで構成されるピクセルそれぞれに対し、入力された画像信号に応じた駆動信号が与えられ、与えられた駆動信号に基づき、サブピクセルが各別の駆動信号で同一色の光量を透過させることにより、単色画像を表示する表示装置において、
ピクセルに対応する入力画像信号レベルに応じて、ピクセルを構成する各サブピクセルに割当てられるべき各画像信号レベルを、各サブピクセルが駆動可能な画像信号レベルの高レベル又は低レベルであって、画像信号レベルに基づき各サブピクセルから透過する光量の組み合わせが、前記入力画像信号レベルに基づく光量となる各画像信号レベルに変換する変換手段と、入力画像信号が更新される都度、隣接するピクセルとの入力画像信号レベルの差を算出する算出手段と、該算出手段が算出した差が所定値未満であるか否かを判定する判定手段と、該判定手段が所定値未満であると判定した場合、ピクセルを構成する各サブピクセルに割当てられる各画像信号レベルの配置を各サブピクセル内で変更する変更手段と、前記判定手段が所定値以上であると判定した場合、前記配置の変更を停止する停止手段とを備え、各サブピクセルは、前記変換手段が変換した各画像信号レベル、又は前記変更手段が配置を変更した各画像信号レベルに基づく駆動信号で同一色の光量を透過させるように構成してあることを特徴とする表示装置。
【請求項４】
前記変換手段は、ピクセルに対応する入力画像信号レベルに応じて、ピクセルを構成する各サブピクセルに割当てられるべき各画像信号レベルを記録したテーブルを、サブピクセル毎に備え、ピクセルに対応する入力画像信号レベルに基づき前記テーブルから、各サブピクセルに割当てる各画像信号レベルを読み出すことにより、ピクセルに対応する入力画像信号レベルから各サブピクセルに割当てられるべき各画像信号レベルを変換するように構成してある請求項３記載の表示装置。
【発明の詳細な説明】
【技術分野】
【０００１】
本発明は、白黒画像を表示する表示装置の表示方法及び表示装置に関するものである。
【背景技術】
【０００２】
液晶カラー表示装置では、表示画面を形成する各ピクセルは、光の三原色ＲＧＢにそれぞれ対応する３つのサブピクセルで構成されており、各サブピクセルが光をそれぞれの階調で透過させることにより、多色カラー表示を実現している。白黒表示する液晶表示装置では、カラー表示用の液晶パネルと基本構造は同一であるが、各サブピクセル上のカラーフィルムをなくし個々の階調を一致させて制御している。
【０００３】
特許文献１には、階調表示が可能な液晶パネルを有し、液晶パネルの各ピクセルは、複数のサブピクセルからなり、液晶パネルの表示画面における階調と輝度比との関係を示す階調カーブの視角による歪みを調整する歪み調整手段が設けられた液晶表示装置が開示されている。歪み調整手段は、液晶パネルに入力する表示データを生成する表示データ生成手段と、階調カーブの視角による歪みを調整する為に参照されるルックアップテーブルとを備えている。表示データ生成手段は、ルックアップテーブルの参照結果に基づき、各ピクセル内の全てのサブピクセルに対してそれぞれ異なる階調カーブを示す表示データを生成する。
【０００４】
特許文献２には、表示すべき画像の輝度データより高輝度となるように駆動する高輝度ピクセルと、輝度データより低輝度となるように駆動する低輝度ピクセルとを組み合せる画像処理方法が記載されている。表示すべき輝度データに基づく輝度に略等しい輝度が得られるように、高輝度ピクセルの輝度及び低輝度ピクセルの輝度と、高輝度ピクセル及び低輝度ピクセルの面積比とを決定する。
【先行技術文献】
【特許文献】
【０００５】
【特許文献１】特許第３９９９０８１号公報
【特許文献２】特開２００９−２２３３４５号公報
【発明の概要】
【発明が解決しようとする課題】
【０００６】
液晶表示装置は、図９に示すように、正面から見る場合の入力階調値に対する輝度の関係と、正面から斜め３０°，６０°と視野角が大きい場合の入力階調値に対する輝度の関係とが異なる視野角特性を有している。液晶表示装置の視野角特性は、３０°，６０°と視野角が大きくなる程、中間信号レベルでのガンマカーブが浮くため、画面全体が白っぽくなって行くという問題がある。視野角特性の問題は液晶表示装置に限らず、他の表示デバイスにおいてもその構造的理由から生じる可能性がある。
【０００７】
このような問題を解決する為の従来技術として、液晶分子の配向を分割するマルチドメイン技術がある。マルチドメイン技術は、特許文献１にも記載されており、液晶パネルの各ピクセル（各サブピクセル）を上下に分割し、分割したピクセル（サブピクセル）同士の液晶配向方向を互いに逆向きに駆動して、視野角特性を改善する。
従来の視野角特性を改善する技術は、このマルチドメイン技術のように、液晶パネルの構造に変更を加えるものが殆どであり、部品コストの上昇を招いていた。
【０００８】
本発明は、上述したような事情に鑑みてなされたものであり、液晶パネルのような表示デバイスの構造に変更を加えることなく、ピクセルに対応する入力画像信号レベルに応じて、ピクセルを構成する各サブピクセルに高画像信号レベル、低画像信号レベルを割当てることにより、正面から見た場合と、正面から斜め３０°，６０°と視野角が大きい場合とで中間信号レベルでのガンマカーブの差が小さく感じられ、見かけ上の視野角特性を改善できる表示装置の表示方法及び表示装置を提供することを目的とする。
【課題を解決するための手段】
【０００９】
液晶表示装置の視野角特性は、図９に示すように、正面から見る場合の入力階調値に対する輝度の関係と、３０°，６０°と視野角が大きい場合の入力階調値に対する輝度の関係とにおいて、中間階調で輝度の差が大きいが、高階調及び低階調では比較的小さい。
本発明では、このような特性を利用して、サブピクセルを極力高階調及び低階調で駆動し、かつピクセルを構成する複数のサブピクセル全体としての輝度値が、そのピクセルへ与えられた階調値の輝度値に一致するようにした。これにより、視野角に依存し難い高階調、低階調でサブピクセルを駆動する為、正面から見た場合と、正面から斜め３０°，６０°と視野角が大きい場合とで輝度の差が小さく感じられ、液晶パネル全体の見かけ上の視野角特性は改善される。
【００１０】
具体的には、図４に示すように、正面で見た場合のピクセルに与えられる階調値に応じた輝度（図４では、最高輝度を１００％として表示）と、該ピクセルを構成するサブピクセル全体の平均的輝度（例えば、（輝度×面積比）の合計）とが一致するように、高輝度又は低輝度を各サブピクセルに配分する。
【００１１】
上述したように、サブピクセルには、高階調値、低階調値を割当てる為、サブピクセル間での階調差が顕著になり、粒状感が目立つ画像となる可能性がある。これを回避する為に、図６に示すように、サブピクセルの階調値が更新される都度、サブピクセルに割当てる階調値をローテーションさせる。
更に、粒状感の解消とは逆に、テキスト及び線画等のようにシャープさを要求される画像の場合、上述した階調値のローテーションを実行させると、シャープさが損なわれるという問題がある。これを解消する為、隣接するピクセル間の階調値の差が大きい場合は、ローテーションを停止するようにする。
【００１２】
第１発明に係る表示装置の表示方法は、表示画面にマトリクス状に配された多数のサブピクセルを備え、複数のサブピクセルで構成されるピクセルそれぞれに対し、入力された画像信号に応じた駆動信号が与えられ、与えられた駆動信号に基づき、サブピクセルが各別の駆動信号で同一色の光量を透過させることにより、単色画像を表示する表示装置の表示方法において、ピクセルに対応する入力画像信号レベルに応じて、ピクセルを構成する各サブピクセルに割当てられるべき各画像信号レベルを、各サブピクセルが駆動可能な画像信号レベルの高レベル又は低レベルであって、画像信号レベルに基づき各サブピクセルから透過する光量の組み合わせが、前記入力画像信号レベルに基づく光量となる各画像信号レベルに変換し、入力画像信号が更新される都度、隣接するピクセルとの入力画像信号レベルの差を算出し、算出した差が所定値未満である場合、ピクセルを構成する各サブピクセルに割当てられる各画像信号レベルの配置を各サブピクセル内で変更し、前記差が所定値以上である場合、前記配置の変更を停止し、各サブピクセルは、変換した各画像信号レベル、又は配置を変更した各画像信号レベルに基づく駆動信号で同一色の光量を透過させることを特徴とする。
【００１３】
第２発明に係る表示装置の表示方法は、ピクセルに対応する入力画像信号レベルに応じて、ピクセルを構成する各サブピクセルに割当てられるべき各画像信号レベルを記録したテーブルを、サブピクセル毎に用意しておき、ピクセルに対応する入力画像信号レベルに基づき前記テーブルから、各サブピクセルに割当てる各画像信号レベルを読み出すことにより、ピクセルに対応する入力画像信号レベルから各サブピクセルに割当てられるべき各画像信号レベルを変換することを特徴とする。
【００１４】
第３発明に係る表示装置は、表示画面にマトリクス状に配された多数のサブピクセルを備え、複数のサブピクセルで構成されるピクセルそれぞれに対し、入力された画像信号に応じた駆動信号が与えられ、与えられた駆動信号に基づき、サブピクセルが各別の駆動信号で同一色の光量を透過させることにより、単色画像を表示する表示装置において、ピクセルに対応する入力画像信号レベルに応じて、ピクセルを構成する各サブピクセルに割当てられるべき各画像信号レベルを、各サブピクセルが駆動可能な画像信号レベルの高レベル又は低レベルであって、画像信号レベルに基づき各サブピクセルから透過する光量の組み合わせが、前記入力画像信号レベルに基づく光量となる各画像信号レベルに変換する変換手段と、入力画像信号が更新される都度、隣接するピクセルとの入力画像信号レベルの差を算出する算出手段と、該算出手段が算出した差が所定値未満であるか否かを判定する判定手段と、該判定手段が所定値未満であると判定した場合、ピクセルを構成する各サブピクセルに割当てられる各画像信号レベルの配置を各サブピクセル内で変更する変更手段と、前記判定手段が所定値以上であると判定した場合、前記配置の変更を停止する停止手段とを備え、各サブピクセルは、前記変換手段が変換した各画像信号レベル、又は前記変更手段が配置を変更した各画像信号レベルに基づく駆動信号で同一色の光量を透過させるように構成してあることを特徴とする。
【００１５】
第１発明に係る表示装置の表示方法及び第３発明に係る表示装置では、表示画面にマトリクス状に配された多数のサブピクセルを備え、複数のサブピクセルで構成されるピクセルそれぞれに対し、入力された画像信号に応じた駆動信号が与えられ、与えられた駆動信号に基づき、サブピクセルが各別の駆動信号で同一色の光量を透過させることにより、単色画像を表示する。ピクセルに対応する入力画像信号レベルに応じて、ピクセルを構成する各サブピクセルに割当てられるべき各画像信号レベルを、変換手段が、各サブピクセルが駆動可能な画像信号レベルの高レベル又は低レベルであって、画像信号レベルに基づき各サブピクセルから透過する光量の組み合わせが、入力画像信号レベルに基づく光量となる各画像信号レベルに変換する。算出手段が、入力画像信号が更新される都度、隣接するピクセルとの入力画像信号レベルの差を算出し、判定手段が、その算出した差が所定値未満であるか否かを判定する。判定手段が所定値未満であると判定した場合、変更手段が、ピクセルを構成する各サブピクセルに割当てられる各画像信号レベルの配置を各サブピクセル内で変更する。判定手段が所定値以上であると判定した場合、停止手段が、配置の変更を停止する。各サブピクセルは、変換手段が変換した各画像信号レベル、又は変更手段が配置を変更した各画像信号レベルに基づく駆動信号で同一色の光量を透過させる。
【００１６】
第４発明に係る表示装置は、前記変換手段は、ピクセルに対応する入力画像信号レベルに応じて、ピクセルを構成する各サブピクセルに割当てられるべき各画像信号レベルを記録したテーブルを、サブピクセル毎に備え、ピクセルに対応する入力画像信号レベルに基づき前記テーブルから、各サブピクセルに割当てる各画像信号レベルを読み出すことにより、ピクセルに対応する入力画像信号レベルから各サブピクセルに割当てられるべき各画像信号レベルを変換するように構成してあることを特徴とする。
【００１７】
第２発明に係る表示装置の表示方法及び第４発明に係る表示装置では、変換手段が、ピクセルに対応する入力画像信号レベルに応じて、ピクセルを構成する各サブピクセルに割当てられるべき各画像信号レベルを記録したテーブルを、サブピクセル毎に備えている。変換手段は、ピクセルに対応する入力画像信号レベルに基づき各テーブルから、各サブピクセルに割当てる各画像信号レベルを読み出すことにより、ピクセルに対応する入力画像信号レベルから各サブピクセルに割当てられるべき各画像信号レベルを変換する。
【発明の効果】
【００１８】
本発明に係る表示装置の表示方法及び表示装置によれば、液晶パネルのような表示デバイスの構造に変更を加えることなく、見かけ上の視野角特性を改善できると共に、画像の種類に応じて、粒状感を解消し、シャープさを維持することが可能になる。
【図面の簡単な説明】
【００１９】
【図１】本発明に係る表示装置の表示方法及び表示装置の実施の形態である液晶表示装置の概略構成を示すブロック図である。
【図２】視野角補正部の構成例を示すブロック図である。
【図３】テーブル部が有する各ルックアップテーブルの具体例を説明する為の説明図である。
【図４】図３に示す各ルックアップテーブルの例を説明する為の説明図である。
【図５】カウンタの構成例を示すブロック図である。
【図６】ピクセルにおける各サブピクセルの階調値のローテーションの例を示す説明図である。
【図７】ピクセルにおける各サブピクセルの階調値のローテーションのパターン例を示す説明図である。
【図８】ローテーション判定部の動作の例を示すフローチャートである。
【図９】液晶表示装置の視野角特性の例を示す特性図である。
【発明を実施するための形態】
【００２０】
以下に、本発明をその実施の形態を示す図面に基づき説明する。
図１は、本発明に係る表示装置の表示方法及び表示装置の実施の形態である液晶表示装置の概略構成を示すブロック図である。
この液晶表示装置は、入力された画像信号を所望のレベルに変換するゲイン調節レベルシフト回路１と、ゲイン調節レベルシフト回路１で所望のレベルに変換された画像信号の画面を書換える速度を、液晶パネル５の画面を書換える速度に変換するフレームレート変換部２とを備えている。また、フレームレート変換部２で変換された画像信号を、液晶パネル５の解像度に応じたピクセル数に合わせて変換し階調値化するスケーリング部３を備えている。
【００２１】
この液晶表示装置は、また、液晶パネル５の解像度に応じたピクセル数に変換され階調値化された画像信号を、ピクセル毎にサブピクセルの階調値（画像信号レベル）を調整することにより、視野角特性を補正する視野角補正部４を備えている。視野角補正部４には、水平同期信号ＨＳ及び垂直同期信号ＶＳが与えられる。
【００２２】
この液晶表示装置は、また、水平同期信号ＨＳ及びサブピクセル毎の階調値データを与えられ、液晶パネル５の多数行列状に配列されたサブピクセル毎の階調値を電圧に変換して１列分毎に保持するデータライン駆動回路６と、データライン駆動回路６が電圧値を印加するサブピクセルを、与えられた垂直同期信号ＶＳに基づき、１列分毎に選択する為のタイミング信号を出力するゲートライン駆動回路７とを備えている。
【００２３】
図２は、視野角補正部４の構成例を示すブロック図である。
この視野角補正部４は、ピクセル毎に階調値化された画像データ（画像信号）が、テーブル部１２及びローテーション判定部１４に与えられる。
ローテーション判定部１４は、クロックＣＬＫと、画像データ（画像信号）の有無を示すデータイネーブル信号ＤＥ（画像データのブランク期間はＬレベル）とが与えられ、テーブル部１２で取得したピクセル毎の各サブピクセルの階調値（画像信号レベル）の配置をサブピクセル内でローテーションさせるか否かを判定する。ローテーションは、カウンタ１５から与えられる０−５の数値に応じた組み合せになるように実行される。
【００２４】
テーブル部１２は、図３に示すようなサブピクセル０，１，２毎のルックアップテーブル（ＬＵＴ０，ＬＵＴ１，ＬＵＴ２）を備えており、画像データのピクセル毎の入力階調値に基づき各ルックアップテーブルを参照することにより、各サブピクセルの階調値を出力し、ローテーション部１３に与える。
尚、図３に示す各ルックアップテーブルは、ピクセルの１６階調値毎の代表値のみを示しており、他の階調値については省略している。また、サブピクセル０，１，２は、ピクセルの走査方向の順に番号を付加したものである。
【００２５】
図３に示す各ルックアップテーブルは、ピクセルに与えられる階調値に応じて定められたものである。図４は、階調値をＸ軸に、その階調値に基づき液晶パネル５から透過する光量、つまり輝度値をＹ軸にとった、液晶パネル５の階調特性図であり、理想とする階調特性と図３の各ルックアップテーブルの出力に定められた階調特性を示す。輝度値は便宜上パーセンテージで表記してある。例えば、図４に示すように、正面で見た場合のピクセルに与えられる階調値に応じた輝度（理想階調）と、複数のサブピクセル全体の輝度（例えば、（輝度×面積比）の合計）とが一致するように、なるべく高輝度又は低輝度を各サブピクセルに配分してある。配分された輝度に応じた階調値（高階調値又は低階調値）を各サブピクセルに割当てて、各ルックアップテーブルを得る。ここでは、サブピクセル数３であり、各サブピクセルのピクセルに対する面積比は１／３とする。
【００２６】
図５は、カウンタ１５の構成例を示すブロック図である。
このカウンタ１５は、データイネーブル信号ＤＥがＨレベル（データ信号有り）であり、クロックＣＬＫの立ち上がりもしくは立ち下がりエッジとなるときをトリガとして０から５迄循環してカウント（５迄カウントするとリセット）し、水平同期信号ＨＳがＨレベルでリセットするＤＥカウンタ１６を備えている。また、水平同期信号ＨＳの立ち上がりを０から５迄循環してカウントし、垂直同期信号ＶＳの立ち上がりでリセットするＨカウンタ１７と、垂直同期信号ＶＳの立ち上がりを０から５迄循環してカウントするＶカウンタ１８とを備えている。
【００２７】
ＤＥカウンタ１６、Ｈカウンタ１７及びＶカウンタ１８の各カウント値は、加算器１９で加算され、加算された数値は演算器２０において６で除算された余り０−５が求められる。求めた余りは、ローテーション部１３に与えられ、ローテーションが実行された後の各サブピクセルの階調値の組み合せを定める。
【００２８】
図６は、フレーム毎に各サブピクセルの階調値の配置を変化させる、ローテーション処理の様子を示したものである。このようにフレーム毎に各サブピクセルの階調値の配置をローテーションさせることで、ピクセル内で生じる粒状感が解消されることになる。特に同一の階調値が継続して入力される静止画では有効な処理となる。
更に図７（ａ）に、各ピクセル間で各サブピクセルの階調値の配置を変化させる、ローテーション処理の様子を示す。図中ＤＥｃｎｔは前記ＤＥカウンタ１６のカウンタ値であり各ピクセルに相当し、Ｈｃｎｔは前記Ｈカウンタ１７のカウンタ値であり走査ラインに相当する。また、図中Ｒ０−Ｒ５は各サブピクセルに割り当てられる階調値配置の組み合わせを示す。図７（ｂ）は、各サブピクセルに割り当てられる３つの階調値（Ｌ０，Ｌ１，Ｌ２）の配置の組み合わせを示す。組み合わせ数は５つに限定されず、これより少ない組み合わせであってもよい。便宜上、図７（ａ）ではＤＥｃｎｔ，Ｈｃｎｔともに１２カウント分を記載したが、実際にはＤＥｃｎｔは走査ライン上のピクセル数分、Ｈｃｎｔは表示画面上のライン数分のマトリックスとなる。
【００２９】
ローテーション部１３は、与えられた余り０−５に応じた組み合せにローテーションを実行して行き、これにより、組み合せＲ０−Ｒ５は、例えば図７（ａ）に示すようなパターンで遷移して行き、画面全体として階調値配置に偏りのないものとなり、一画面上で生じる粒状感が解消される。特に同一階調値の面積が大きい画像に対し有効な処理となる。
尚、図７（ｂ）に示す組み合せＲ０−Ｒ５の各サブピクセルに、階調値Ｌ０，Ｌ１，Ｌ２の何れを割当てるかは、キラーパターンによるフリッカを回避する為に、レジスタにより任意の値がセットできるようにしておいても良い。
【００３０】
このような構成の液晶表示装置では、入力された画像信号は、ゲイン調節レベルシフト回路１で所望のレベルに変換された後、フレームレート変換部２で、画面を書換える速度を液晶パネル５に合わせて変換され、スケーリング部３で、液晶パネル５の解像度に応じたピクセル数に変換され階調値化される。
階調値化された画像信号は、視野角補正部４で、ピクセル毎にサブピクセルの階調値を調整することにより、見かけ上の視野角特性が改善される。
【００３１】
入力画像信号とともに与えられた水平同期信号ＨＳ、及び視野角補正部４で調整されたサブピクセル毎の階調値データがデータライン駆動回路６に与えられ、入力画像信号とともに与えられた垂直同期信号ＶＳがゲートライン駆動回路７に与えられる。
データライン駆動回路６は、液晶パネル５のマトリクス状に多数配列されたサブピクセル毎の階調値を電圧に変換して１列分毎に保持し、ゲートライン駆動回路７からのタイミング信号（アドレス信号）により選択された列毎にサブピクセルに印加する。これにより、液晶パネル５に画像が表示される。
【００３２】
図８は、視野角補正部４に含まれるローテーション判定部１４の動作の例を示すフローチャートである。以下に、ローテーション判定部１４の動作を図８のフローチャートを参照しながら説明する。
ローテーション判定部１４は、クロックＣＬＫが入力されると（Ｓ１）、画像データに含まれるピクセルの階調値Ｇｔ、及びデータイネーブル信号ＤＥを読込み（Ｓ２）、読込んだデータイネーブル信号ＤＥがＨレベルであるか否かを判定する（Ｓ３）。
【００３３】
ローテーション判定部１４は、読込んだデータイネーブル信号ＤＥがＨレベルでなければ（ブランク期間であれば）（Ｓ３）、１つ前のピクセルの階調値Ｇｔ−１を０にして（Ｓ４）、次のクロックＣＬＫが入力される迄待機する（Ｓ１）。
ローテーション判定部１４は、読込んだデータイネーブル信号ＤＥがＨレベルであれば（Ｓ３）、ピクセルの階調値Ｇｔとその１つ前のピクセルの階調値Ｇｔ−１との差の絶対値を演算し、演算した絶対値が所定値Ｔｈ以上であるか否かを判定する（Ｓ５）。所定値Ｔｈは例えば７とする。
【００３４】
ローテーション判定部１４は、演算した絶対値が所定値Ｔｈ以上であれば（Ｓ５）、ローテーション部１３へローテーションのオフ信号を与え（Ｓ６）、ピクセルの階調値Ｇｔを、１つ前のピクセルの階調値Ｇｔ−１とした（Ｓ８）後、次のクロックＣＬＫが入力される迄待機する（Ｓ１）。
これにより、ローテーション部１３は、ピクセルの階調値Ｇｔに応じてテーブル部１２で取得した各サブピクセルの階調値を、ローテーションを実行せずに、データライン駆動回路６へ与える。
【００３５】
ローテーション判定部１４は、演算した絶対値が所定値Ｔｈ以上でなければ（Ｓ５）、ローテーション部１３へローテーションのオン信号を与え（Ｓ７）、ピクセルの階調値Ｇｔを、１つ前のピクセルの階調値Ｇｔ−１とした（Ｓ８）後、次のクロックＣＬＫが入力される迄待機する（Ｓ１）。
これにより、ローテーション部１３は、ピクセルの階調値Ｇｔに応じてテーブル部１２で取得した各サブピクセルの階調値を、そのときにカウンタ１５から与えられたカウンタ出力０−５に応じた組み合せＲ０−Ｒ５に従ってローテーションさせ、データライン駆動回路６へ与える。
尚、本実施の形態では、ローテーションの判定は、一つ前のピクセルとの階調値差分で行っているが、次のピクセルとも比較し、後発的にローテーションをオン・オフするようにしてもよい。また、比較の範囲は１ピクセルに限定されず、複数ピクセル前や複数ピクセル後と比較し、その階調変化の傾向からローテーションをオン・オフするようにしてもよい。
【００３６】
上述した動作は、１つのピクセルに注目すると、フレームが更新される都度、各サブピクセルの階調値がローテーションして、時系列的には各サブピクセルの階調値が平均化され、突出した階調値が感じられなくなり、粒状感が解消される。
また、１つの画面に注目すると、各ピクセル毎に各サブピクセルの階調値がローテーションして、空間的には各サブピクセルの階調値の配置が分散され、突出した階調値が感じられなくなり、粒状感が解消される。
また、演算した絶対値が所定値Ｔｈ以上で、テキスト及び線画等のようにシャープさを要求される画像の場合は、フレームが更新される都度の各サブピクセルの階調値のローテーションを実行せず、シャープさが保たれる。
【００３７】
尚、本実施の形態では、ピクセルを構成するサブピクセル数を３としてあるが、サブピクセル数が他の複数、例えば、サブピクセル数２、４等の場合でも、本実施の形態と同様に実施できることは言うまでもない。
また、本実施の形態では、液晶表示装置として説明したが、これに限定されず他の視野角特性を有する表示デバイスを搭載した表示装置であってもよい。
また、本実施の形態では、実施例ではデジタル的な階調値を入力信号としたが、これに限定されずアナログ信号であってもよい。
また、本実施の形態では、ルックアップテーブルにて画像信号の変換を行ったが、これに限定されず、変換式を予め記憶しておき、都度演算により各サブピクセルに割与える画像信号を求めるようにしてもよい。
【００３８】
また、図６では、ライン走査方向に３つ分割されたピクセルを図示したが、ライン走査方向に対し垂直に分割されたピクセルに対しても、同様に実施できる。その場合、ローテーションのオン・オフは、ライン走査方向のピクセルではなく、一つ前のライン上の隣接するピクセルと比較した結果で実行するのが好ましい。この場合、後のライン上の隣接するピクセルでもよく、比較するピクセルは一つに限定されない。
更に、マルチドメイン方式のピクセルのように、ライン走査方向とその垂直方向に分割されたピクセルに対しても、同様に実施できる。その場合、ローテーションのオン・オフは、隣接する四方あるいはそれ以上のピクセルと比較した結果で実行するのが好ましい。
また、表示装置は、同一色でサブピクセルを駆動させるものであればよく、モノクロ表示装置ばかりでなく、医療現場で用いられる青みがかったブルーベース表示装置でもよい。
【符号の説明】
【００３９】
２  フレームレート変換部
３  スケーリング部
４  視野角補正部（テーブル、変換手段）
５  液晶パネル（表示画面）
６  データライン駆動回路
７  ゲートライン駆動回路
１２  テーブル部（テーブル）
１３  ローテーション部（変更手段、停止手段）
１４  ローテーション判定部（算出手段、判定手段）
１５  カウンタ
１６  ＤＥカウンタ
１７  Ｈカウンタ
１８  Ｖカウンタ
１９  加算器
２０  演算器
【図１】
2011191415.tif 000003
【図２】
2011191415.tif 000004
【図３】
2011191415.tif 000005
【図４】
2011191415.tif 000006
【図５】
2011191415.tif 000007
【図６】
2011191415.tif 000008
【図７】
2011191415.tif 000009
【図８】
2011191415.tif 000010
【図９】
2011191415.tif 000011